(57)【要約】【課題】本発明の目的は、マイクロホンの拾音性の向上を図った電子機器を得ることにある。【解決手段】電子機器１は、第１の外壁７ａと第１の外壁７ａから第１の外壁７ａに対して傾斜して延びるとともに貫通孔１２ａを有する第２の外壁７ｂとを備えた筐体７と、筐体７に収容されるマイクロホン２１と、マイクロホン２１を貫通孔１２ａに対応させるとともに第２の外壁７ｂに沿って保持するホルダ２２とを具備する。【選択図】      図３
2007166497.tif 000002
【特許請求の範囲】
【請求項１】
第１の外壁と、上記第１の外壁から上記第１の外壁に対して傾斜して延びるとともに貫通孔を有する第２の外壁とを備えた筐体と、
上記筐体に収容されるマイクロホンと、
上記マイクロホンを上記貫通孔に対応させるとともに上記第２の外壁に沿って保持し、かつ、上記マイクロホンを上記筐体のなかで上記第２の外壁の傾斜する壁面を外れる部位に固定するホルダと、
を具備することを特徴とする電子機器。
【請求項２】
請求項１に記載の電子機器において、
上記ホルダは、上記第１の外壁に対して垂直な方向または平行な方向に沿って上記筐体に取り付けられることを特徴とする電子機器。
【請求項３】
請求項１または請求項２に記載の電子機器において、
上記第１の外壁は、上記ホルダを上記筐体に取り付ける組立時に水平に保持される壁面であることを特徴とする電子機器。
【請求項４】
請求項１または請求項２に記載の電子機器において、
上記ホルダは、上記筐体に取り付けられる取付部と、上記第１の外壁と上記第２の外壁との間の傾斜角に対応する傾斜角で上記取付部に対して傾斜するとともに上記マイクロホンを保持する保持部とを有することを特徴とする電子機器。
【請求項５】
請求項４に記載の電子機器において、
上記筐体は、上記第１の外壁に直交する方向に延びる係合突起を有し、上記ホルダの取付部は、上記係合突起に係合する係合穴を有することを特徴とする電子機器。
【請求項６】
請求項１または請求項２に記載の電子機器において、
上記第２の外壁は、この電子機器の使用時にユーザーに最も近接する壁面であることを特徴とする電子機器。
【請求項７】
請求項６に記載の電子機器において、
上記マイクロホンは、上記筐体のなかで上記第２の外壁の長手方向に沿った端部と中央部とに分かれて複数設けられることを特徴とする電子機器。
【請求項８】
請求項６に記載の電子機器において、
上記筐体は、この筐体内において上記マイクロホンを収容する部位に対して反対側に偏った位置にスピーカを収容することを特徴とする電子機器。
【請求項９】
第１の外壁と、上記第１の外壁から上記第１の外壁に対して傾斜して延びるとともに貫通孔を有する第２の外壁とを備えた筐体と、
上記筐体に収容されるマイクロホンと、
上記マイクロホンを上記貫通孔に対応させるとともに上記第２の外壁に沿って保持するホルダと、
を具備することを特徴とする電子機器。
【発明の詳細な説明】
【技術分野】
【０００１】
本発明は、マイクロホンを実装する電子機器に係り、特にマイクロホンの実装構造に関する。
【背景技術】
【０００２】
近年、例えばポータブルコンピュータのような電子機器は多機能化し、マイクロホンを実装した電子機器が提供されている。マイクロホンを実装した電子機器を用いることで、ユーザーは例えば自らの音声を収録したり、複数人で行なう会話などを収録することができる。
【０００３】
例えば、表示ユニットの脚部にマイクロホンを実装した電子機器が提供されている（例えば、特許文献１参照）。特許文献１に記載のマイクロホンは、ホルダを介して表示ユニットの脚部のリア部分（すなわち、表示ユニットの背面ケース）に取り付けられる。ホルダは、このリア部分の内面と対応し合う壁部を有する。このホルダの壁部は、上記リア部分から突出する係合突起に係合する係合孔を有する。これにより、マイクロホンは表示ユニットの表示画面と同一方向を向いて実装される。
【０００４】
一方、外観に傾斜面を有する電子機器が提供されている（例えば、特許文献２参照）。特許文献２に記載の電子機器の本体ユニットは、その前面および側面が上面の方向に進むに従い本体ユニットの内側を向けて傾斜する傾斜面を含んでいる。これにより電子機器は、筐体を薄く見せることができ、かつ、電子機器自体の見栄えも向上する。
【特許文献１】特許第３３９４８１８号公報
【特許文献２】特開２００５−１０００４２号公報
【発明の開示】
【発明が解決しようとする課題】
【０００５】
近年、例えば製品スペックや操作性とともに、電子機器のデザイン性がその電子機器の売れ行きを左右する重要な要素の一つとなってきている。そこで電子機器の筐体は、従来の矩形箱状に形成されたものに限らず、例えば筐体の側壁が上壁に対して傾斜するような複雑な形状をした筐体の設計が進められている。
【０００６】
このような筐体の側壁にマイクロホン用の拾音孔を開口させるとともに、筐体内にマイクロホンを実装しようとする試みが本研究者により行なわれている。しかし従来のマイクロホンは、ホルダによって例えば筐体の上壁に平行または垂直な方向に沿って保持される。したがって、マイクロホンと筐体の側壁との間には、側壁が上壁に対して傾斜する分だけ空間が生じてしまう。拾音孔を有する側壁とマイクロホンとの間に余計な空間が存在すると、それだけマイクロホンの拾音性を損ねることになる。
【０００７】
例えば特許文献１に記載のマイクロホンの実装構造は上記問題を解決するものではない。すなわち、特許文献１に記載のホルダは、マイクロホンを表示ユニットの背面ケースに対して垂直に搭載するものである。したがって例えば背面ケースに対して傾斜する壁面を有する前面ケースが採用された場合、マイクロホンとこの前面ケースとの間には余計な空間が生じることになる。
【０００８】
本発明の目的は、マイクロホンの拾音性の向上を図った電子機器を得ることにある。
【課題を解決するための手段】
【０００９】
上記目的を達成するために、本発明の一つの形態に係る電子機器は、第１の外壁と上記第１の外壁から上記第１の外壁に対して傾斜して延びるとともに貫通孔を有する第２の外壁とを備えた筐体と、上記筐体に収容されるマイクロホンと、上記マイクロホンを上記貫通孔に対応させるとともに上記第２の外壁に沿って保持するホルダとを具備する。
【発明の効果】
【００１０】
この構成によれば、マイクロホンが筐体の外壁に設けられる貫通孔の近くに配置され、電子機器の拾音性が向上する。
【発明を実施するための最良の形態】
【００１１】
以下に本発明の実施の形態を、ポータブルコンピュータに適用した図面に基づいて説明する。  
図１ないし図８は、本発明の第１の実施形態に係る電子機器としてのポータブルコンピュータ１を開示している。図１は、ポータブルコンピュータ１の全体を示している。ポータブルコンピュータ１は、本体２と表示ユニット３とを備えている。
【００１２】
図３に示すように、本体２は、本体ベース５と本体カバー６とを備えている。本体カバー６は、本体ベース５に上方から取り付けられる。本体ベース５と本体カバー６とが協働することで、本体２は、上壁７ａ、前壁７ｂ、左側壁７ｃ、右側壁７ｄ、ならびに図示しない後壁および下壁を有する箱状の筐体７を備える。上壁７ａは、第１の外壁の一例である。前壁７ｂは、ポータブルコンピュータ１の使用時に、ユーザーに最も近接する壁面である。
【００１３】
図１に示すように、筐体７の前壁７ｂ、左側壁７ｃ、右側壁７ｄ、および後壁は、筐体７の厚さ方向の中央部が筐体７の外側に膨らんだデザインに形成されている。詳しくは図３に示すように、例えば前壁７ｂの上半部は、上壁７ａの前端部から上壁７ａに対して筐体７の外側に膨らむ方向に傾斜して延びている。前壁７ｂの上半部は、上壁７ａに対して例えばθ度傾斜して延びている。
【００１４】
一方、前壁７ｂの下半部は、上半部の下端から上壁７ａに対して筐体７の内側にしぼむ方向に傾斜して延びている。なお、前壁７ｂの上半部は、本体カバー６で形成され、前壁７ｂの下半部は、本体ベース５で形成されている。前壁７ｂは、第２の外壁の一例である。
【００１５】
図１に示すように、筐体７の後端部には、一対のスピーカ８ａ，８ｂが収容されている。スピーカ８ａ，８ｂは、筐体７の上壁７ａに開口する開口部７ｅを通じて、上方を向いて筐体７の外部に露出している。
【００１６】
図１および図３に示すように、筐体７の前壁７ｂは、上壁７ａに対して傾斜した壁面である傾斜面１１と、二つの貫通孔１２ａ，１２ｂとを有する。図３に示すように、貫通孔１２ａ，１２ｂは、それぞれ傾斜面１１において筐体７の内部に開口している。貫通孔１２ａ，１２ｂは、水平方向に延びている。なお、貫通孔１２ａ，１２ｂの延びる方向は、水平方向に限らず、例えば前壁７ｂに対して直交する方向であっても良い。図２は、筐体７の内部を示す。図２に示すように、筐体７は、二つの貫通孔１２ａ，１２ｂに対応する部位に、それぞれマイク部１３ａ，１３ｂを収容している。
【００１７】
一つのマイク部１３ｂは、前壁７ｂの背後において、前壁７ｂの中央部７ｂｂに沿って設けられている。他方のマイク部１３ａは、前壁７ｂの背後において、前壁７ｂの長手方向に沿った端部である左端部７ｂａに沿って設けられている。二つのマイク部１３ａ，１３ｂは、共に筐体７の前面側を向いて、すなわち使用時にユーザーを向くように配置されている。なお、以下に左端部７ｂａに配置されるマイク部１３ａを代表して取り上げて説明するが、中央部７ｂｂに配置されるマイク部１３ｂに関してもその構成および作用は同じである。
【００１８】
なお、スピーカ８ａ，８ｂは、筐体７の後端部に配置されることから、筐体７内においてマイク部１３ａ，１３ｂを収容する部位に対して反対側に偏った位置に収容されているといえる。
【００１９】
図３に示すように、マイク部１３ａは、マイクロホン２１とホルダ２２とを備えている。マイクロホン２１は、円筒状に形成されたマイクロホン本体２３と、マイクロホン本体２３に電気的に接続されたケーブル２４とを有する。マイクロホン本体２３は、音を収拾するとともに収拾した音を電気信号に変換する。マイクロホン本体２３の一端は、内部に設けられる振動板に対向し、音を拾う拾音面２３ａを有する。ケーブル２４は、マイクロホン本体２３を筐体７の内部に収容される図示しない回路基板に電気的に接続する。
【００２０】
次に、ホルダ２２について詳しく説明する。  
ホルダ２２は、例えばゴムのような樹脂材料で全体が一体に成形され、伸縮性を有する。図４に示すように、ホルダ２２は、保持部３１と取付部３２とを備える。保持部３１は、マイクロホン２１を保持する部分である。保持部３１は、箱状をしたケース３５を有する。図４および図５に示すように、ケース３５は、円筒状に延びる内部空間３５ａ、第１の開口部３５ｂ、および第２の開口部３５ｃを有する。
【００２１】
図５に示すように、内部空間３５ａは、ケース３５の内部においてマイクロホン本体２３の外形よりわずかに大きな円筒形状をしている。内部空間３５ａには、マイクロホン本体２３が収容される。第１の開口部３５ｂおよび第２の開口部３５ｃは、内部空間３５ａからケース３５の外部に開口している。
【００２２】
図４に示すように、第１の開口部３５ｂは、ケース３５の前面において円形状に開口している。マイクロホン本体２３は、この第１の開口部３５ｂを通じてケース３５内の内部空間３５ａに格納される。内部空間３５ａに収容されたマイクロホン本体２３は、その拾音面２３ａをこの第１の開口部３５ｂを通じてケース３５の外部に露出させている。
【００２３】
図５に示すように、第２の開口部３５ｃは、ケース３５の後下面において開口している。第２の開口部３５ｃを通じてマイクロホン２１のケーブル２４がケース３５の内部から外部に引き出されている。なお、第１の開口部３５ｂおよび第２の開口部３５ｃの形状は、本実施形態に限定されず、マイクロホン２１の拾音面２３ａをケース３５の外部に露出させるとともに、ケーブル２４をケース３５の外部に引き出せる形状であればその種類は問わない。
【００２４】
取付部３２は、ホルダ２２の保持部３１を筐体７に取り付けるための部分である。図４に示すように、取付部３２は、保持部３１の側面に一体に設けられている。取付部３２は、上面３２ａ、下面３２ｂ、および側面３２ｃを有する。取付部３２は、上面３２ａから下面３２ｂに向かう方向に沿って断面積が減少するくさび形に形成されている。
【００２５】
取付部３２の上面３２ａが向く方向は、保持部３１の円筒状の内部空間３５ａの延伸方向に対して、上壁７ａと前壁７ｂとの間の傾斜角θに対応する傾斜角で傾斜している。本実施形態における取付部３２の上面３２ａが向く方向は、保持部３１の内部空間３５ａの延伸方向に対して傾斜角θ度で傾斜している。なお、円筒状の内部空間３５ａの延伸方向とは、内部空間３５ａが規程する円筒の軸方向のことである。したがって、上面３２ａが向く方向は、内部空間３５ａに収容されたマイクロホン２１の拾音面２３ａが向く方向に対してθ度傾斜する。換言すれば、保持部３１が取付部３２に対してθ度傾斜していると言える。
【００２６】
取付部３２は、係合穴３２ｄを有する。係合穴３２ｄは、取付部３２の上面３２ａに開口するとともに、下面３２ｂを向いて延びている。すなわち、係合穴３２ｄの延びる方向は、内部空間３５ａに収容されたマイクロホン２１の拾音面２３ａが向く方向に対してθ度傾斜する。
【００２７】
図６は、本体カバー６を上下逆さまの姿勢にして筐体７の内側を示す図である。図６に示すように、筐体７は、ホルダ収容部４１を有する。ホルダ収容部４１は、筐体７の上壁７ａとは別部材で形成され、筐体７の左側壁７ｃに固定されている。ホルダ収容部４１は、前壁７ｂの貫通孔１２ａに対応する部位、すなわち貫通孔１２ａが設けられた部位の背面側に設けられる。なお、図示しないが前壁７ｂの中央部７ｂｂに設けられた貫通孔１２ｂに対応する部位にも同様のホルダ収容部４１が設けられている。ホルダ収容部４１は、ホルダ２２より一回り大きく形成された凹部である。
【００２８】
ホルダ収容部４１の右端部には、係合突起４２が設けられている。係合突起４２は、ホルダ収容部４１の中腹から上壁７ａに直交する方向に沿って、上壁７ａとは反対方向を向いて延びている。係合突起４２の水平方向の断面は、ホルダ収容部４１の外側に張り出す凸形状に形成されている。
【００２９】
次に、ホルダ収容部４１に対するマイク部１３ａの取り付けについて説明する。  
図７に示すように、ポータブルコンピュータ１へのマイク部１３ａの取り付けは、本体カバー６を上下逆さまの姿勢に載置して行なわれる。すなわちこの取り付け作業は、上壁７ａの上面を組立台４５の載置面４６に載置して、上壁７ａを水平に保持して行なわれる。
【００３０】
ホルダ収容部４１へのホルダ２２の取り付けは、ホルダ２２の係合穴３２ｄにホルダ収容部４１の係合突起４２を差し込んで両者を係合させることで行なわれる。すなわち、図７に示すように、筐体７の上壁７ａに対して垂直な方向、すなわち上壁７ａに対して直交する方向に沿って、ホルダ２２の係合穴３２ｄにホルダ収容部４１の係合突起４２を差し込ませる。係合突起４２を係合穴３２ｄの内周面に嵌合させることで、図８に示すようにホルダ２２をホルダ収容部４１に固定する。
【００３１】
このようなホルダ２２を用いることで、図３に示すように、マイクロホン２１は貫通孔１２ａに対応するとともに、前壁７ｂに沿ってホルダ２２に保持される。すなわち、ホルダ２２の取付部３２をホルダ収容部４１に対して垂直に取り付けても、ホルダ２２の保持部３１が取付部３２に対して傾斜している。したがって、保持部３１内のマイクロホン２１も筐体７の上壁７ａに対して傾斜しており、マイクロホン２１は、その拾音面２３ａを前壁７ｂの貫通孔１２ａに対向させて配置される。  
さらに、ホルダ２２が筐体７のホルダ収容部４１に固定される。すなわち、マイクロホン２１は、ホルダ２２によって前壁７ｂの傾斜面１１を外れる部位に固定される。
【００３２】
なお、係合突起４２が所定以上の大きさを有すると、係合穴３２ｄとの嵌合状態がより強固となる。しかし、この係合突起４２は、樹脂材料を射出成形して成形されるものであり、あまり大きなものは形成しにくい。しかし、上記のような断面が凸状を有する係合突起４２を用いることで、あまり係合突起４２の厚さを厚くすることなく、係合穴３２ｄに強固な嵌合状態で嵌合することができる。
【００３３】
図１に示すように、表示ユニット３は、ディスプレイハウジング５１と、このディスプレイハウジング５１に収容された液晶表示パネル５２とを備えている。液晶表示パネル５２は、表示画面５２ａを有している。表示画面５２ａは、ディスプレイハウジング５１の前面の開口部５１ａを通じてディスプレイハウジング５１の外部に露出している。
【００３４】
表示ユニット３は、筐体７の後端部に図示しないヒンジ装置を介して支持されている。そのため、表示ユニット３は、上壁７ａを上方から覆うように倒される閉じ位置と、上壁７ａ、および表示画面５２ａを露出させるように起立する開き位置との間で回動可能である。
【００３５】
次に、ポータブルコンピュータ１の作用について説明する。  
図８は、ホルダ収容部４１に取り付けられたホルダ２２を示す。マイクロホン２１を本実施形態に係るホルダ２２を用いて筐体７に取り付けると、図３に示すように、マイクロホン２１が筐体７の前壁７ｂに沿って配置される。換言すれば、マイクロホン２１の拾音面２３ａは、前壁７ｂに対向している。マイクロホン２１が筐体７の前壁７ｂに沿っていると、マイクロホン２１と前壁７ｂとの間に余計な空間が存在していない。すなわち上壁７ａに対して傾斜する前壁７ｂに対して、マイクロホン２１が筐体７の最前部に配置されることを意味する。これによりマイクロホン２１は、貫通孔１２ａ，１２ｂを通じた音をより確実に拾音することができ、マイクロホン２１の拾音性が向上する。
【００３６】
このような構成のポータブルコンピュータ１によれば、マイクロホン２１の拾音性を向上させることができる。すなわち、マイクロホン２１を前壁７ｂに沿って配置することで、マイクロホン２１の拾音面２３ａが筐体７内の最前部に配置されることになる。したがって、マイクロホン２１と前壁７ｂとの間にマイクロホン２１の拾音性を損ねるような余計な空間は存在しない。これにより、マイクロホン２１は、マイクロホン２１は本来の性能を発揮することができ、ポータブルコンピュータ１の拾音性が向上する。
【００３７】
前壁７ｂは、上壁７ａに対して傾斜している。一般にマイクロホン２１を本体カバー６に取り付ける場合は、本体カバー６を上下逆さまの姿勢にして上壁７ａを組立台４５の上に載置して取り付け作業が行われる。このとき、前壁７ｂは、組立台４５の本体カバー６が載置される載置面４６に対して傾斜することになる。すなわち、前壁７ｂの傾斜面１１は、組立台４５の載置面４６から傾斜している。載置面４６から傾斜する前壁７ｂの傾斜面１１に直接にホルダ２２を固定することは、取り付け作業を複雑にする。
【００３８】
一方、本実施形態に係るホルダ２２のように、傾斜面１１を外れる部位に固定されるホルダ２２を用いれば、傾斜面１１に対する実装工程を行なう必要が無くなり、上記取り付け作業を効率的に行うことができる。
【００３９】
特に、上壁７ａに対して垂直方向または平行方向に沿ってホルダ２２を固定することは、組立台４５の載置面４６に対して垂直方向または平行方向に沿ってホルダ２２の取り付け作業を行うことである。組立台４５の載置面４６に垂直または平行な方向に沿って取り付け作業を行うことは、作業を単純化し、取り付け作業の作業効率を向上させることができる。
【００４０】
ホルダ２２が、筐体７に取り付けられる取付部３２と、取付部３２に対して所定の傾斜を有する保持部３１とを有することで、ホルダ２２の取付部３２を筐体７に取り付けると、保持部３１に保持されるマイクロホン２１が自動的に前壁７ｂに沿うことになる。すなわち、マイクロホン２１の傾斜角度などを調整する工程は一切必要なく、取り付け作業は、取付部３２をホルダ収容部４１に取り付けることで達成される。これは、上記取り付け作業の効率の向上にさらに寄与する。
【００４１】
筐体７が上壁７ａに対して直交する方向に沿って延びる係合突起４２を有するとともに、ホルダ２２の取付部３２が係合穴３２ｄを有すると、上記取り付け作業は、取付部３２の係合穴３２ｄを係合突起４２に差し込むことで達成される。すなわち、係合穴３２ｄを係合突起４２に差し込むことで、ホルダ２２は上壁７ａに対して垂直な方向に沿って取り付けられる。これは上記取り付け作業をさらに容易にし、取り付け作業の作業効率を向上させることができる。
【００４２】
マイク部１３ａ，１３ｂ用の貫通孔１２ａ，１２ｂが設けられる壁面が前壁７ｂであれば、マイク部１３ａ，１３ｂは、ユーザーに最も近接する部位に設けられることになる。これにより、マイクロホン２１は、さらに確実にユーザーの音声などを拾音することができ、ポータブルコンピュータ１の拾音性を向上させるのに寄与する。
【００４３】
特に、前壁７ｂの中央部７ｂｂに一つのマイク部１３ｂを配置するとともに、前壁７ｂの左端部７ｂａにも別のマイク部１３ａを配置することで、中央部７ｂｂのマイク部１３ｂによりメインユーザーの音声を拾音するとともに、端部のマイク部１３ａでメインユーザー以外の例えば周囲の人間の音声や周囲の音などを拾音することができる。
【００４４】
すなわち、メインユーザー用のマイク部１３ｂとは別にマイク部１３ａを設け、そのマイク部１３ａを筐体７の端部に配置することで、メインユーザー以外の音をより効果的に拾うことができる。これは、ポータブルコンピュータ１の拾音性を高めることに寄与する。
【００４５】
スピーカ８ａ，８ｂが筐体７内においてマイクロホン２１を収容する部位に対して反対側に偏って配置されると、スピーカ８ａ，８ｂからの音がマイクロホン２１に雑音やノイズとして入りにくくなる。これにより、ポータブルコンピュータ１の拾音性はさらに向上する。
【００４６】
次に、本発明の第２の実施形態に係るポータブルコンピュータ６１について、図９を参照して説明する。なお、第１の実施形態に係るポータブルコンピュータ１と同じ機能を有する構成は、同一の符号を付してその説明を省略する。
【００４７】
ポータブルコンピュータ６１の前壁７ｂは、傾斜面１１、貫通孔１２ａ，１２ｂおよび係合突起６２を有する。係合突起６２は、筐体７の内側を向いて傾斜面１１から筐体７の上壁７ａに対して平行に突出している。係合突起６２の断面は、突出方向に直交する断面が凸形状に形成されている。
【００４８】
一方、ホルダ６３は、保持部３１と取付部６４とを有する。保持部３１は、取付部６４に対して上壁７ａと前壁７ｂとの間の傾斜角θ度に対応する傾斜角で傾斜している。本実施形態に係る保持部３１は、取付部６４に対して（９０−θ）度で傾斜している。取付部６４は、前面６４ａ、後面６４ｂ、側面６４ｃ、および係合穴３２ｄを有する。取付部６４は、前面６４ａから後面６４ｂに向かう方向に沿って断面積が減少するくさび形に形成されている。係合穴３２ｄは、取付部６４の前面６４ａに開口するとともに、後面６４ｂを向いて延びている。
【００４９】
このような構成のポータブルコンピュータ６１によれば、マイクロホン２１の拾音性を向上させることができる。すなわち、マイクロホン２１と前壁７ｂとの間にマイクロホン２１の拾音性を損ねるような余計な空間は存在しない。これにより、マイクロホン２１は、マイクロホン２１は本来の性能を発揮することができ、ポータブルコンピュータ６１の拾音性が向上する。
【００５０】
さらに、ホルダ６３よれば、前壁７ｂの傾斜面１１を外れる部位にマイクロホン２１を固定することができ、取り付け作業を効率的に行うことができる。特に、上壁７ａに対して平行方向に沿ってホルダ２２を固定することは、作業を単純化し、取り付け作業の作業効率を向上させることができる。
【００５１】
次に、本発明の第３の実施形態に係るポータブルコンピュータ７１について、図１０を参照して説明する。なお、第１の実施形態に係るポータブルコンピュータ１と同じ機能を有する構成は、同一の符号を付してその説明を省略する。
【００５２】
ポータブルコンピュータ７１は、貫通孔１２ｃとマイク部１３ｃとを有する。貫通孔１２ｃは、前壁７ｂの右端部７ｂｃに開口している。マイク部１３ｃは、前壁７ｂの右端部７ｂｃの背後に配置されている。このようなポータブルコンピュータ７１によれば、中央部７ｂｂのマイク部１３ｂによりメインユーザーの音声を、左端部７ｂａおよび右端部７ｂｃのマイク部１３ａ，１３ｃによりメインユーザーの左右に位置する人間の音声や全周囲の音などを拾音することができる。これは、ポータブルコンピュータ７１の拾音性を高めることに寄与する。
【００５３】
以上、第１ないし第３の実施形態に係るポータブルコンピュータ１，６１，７１について説明したが、本発明はもちろんこれらに限定されない。例えば、マイク部１３ａ，１３ｂ，１３ｃが取り付けられるホルダ収容部４１は、本体カバー６に設ける必要は無く、本体ベース５に設けても良い。
【００５４】
さらにホルダ収容部４１に係合穴３２ｄを設けるとともに、ホルダ２２に係合突起４２，６２を設けても良い。本発明は、例えばマイクロホン２１がディスプレイハウジング５１内に設けられ、そのディスプレイハウジング５１が傾斜面を有する場合にも適用することができる。
【００５５】
本発明の第１ないし第３の実施形態に係るポータブルコンピュータ１，６１，７１の構成要素は、適宜組み合わせて適用しても良い。本発明が適用可能な電子機器は、ポータブルコンピュータに限らず、例えば携帯電話機、デジタルカメラ、ビデオカメラ、パーソナルデジタルアシスタントなどでも良く、その種類は問わない。
【図面の簡単な説明】
【００５６】
【図１】本発明の第１の実施形態に係るポータブルコンピュータの斜視図。
【図２】図１中に示されたポータブルコンピュータから本体カバーを取り除いた状態を示す斜視図。
【図３】図１中に示されたポータブルコンピュータの前壁の断面図。
【図４】図２中に示されたホルダの斜視図。
【図５】図２中に示されたホルダの側面図。
【図６】本発明の第１の実施形態に係るホルダ収容部の斜視図。
【図７】図４中に示されたホルダをホルダ収容部に取り付ける様子を示す断面図。
【図８】図４中に示されたホルダをホルダ収容部に取り付けた状態を示す斜視図。
【図９】本発明の第２の実施形態に係るポータブルコンピュータの断面図。
【図１０】本発明の第３の実施形態に係るポータブルコンピュータの斜視図。
【符号の説明】
【００５７】
θ…傾斜角、１…ポータブルコンピュータ、７…筐体、７ａ…上壁、７ｂ…前壁、７ｅ…開口部、７ｂａ…左端部、７ｂｂ…中央部、８ａ．８ｂ…スピーカ、１１…傾斜面、１２ａ，１２ｂ…貫通孔、２１…マイクロホン、２２…ホルダ、２３…マイクロホン本体、２３ａ…拾音面、３１…保持部、３２…取付部、３２ｄ…係合穴、４１…ホルダ収容部、４２…係合突起、４５…組立台、４６…載置面、６１…ポータブルコンピュータ、６２…係合突起、６３…ホルダ、６４…取付部、７１…ポータブルコンピュータ。
【図１】
2007166497.tif 000003
【図２】
2007166497.tif 000004
【図３】
2007166497.tif 000005
【図４】
2007166497.tif 000006
【図５】
2007166497.tif 000007
【図６】
2007166497.tif 000008
【図７】
2007166497.tif 000009
【図８】
2007166497.tif 000010
【図９】
2007166497.tif 000011
【図１０】
2007166497.tif 000012